(57)【要約】【課題】ディスク媒体から信号の読込み若しくは書込み又は読書きを行うディスク装置であって、防塵化及び薄型化が図られ、且つ、部品点数の削減及び作業効率の向上が図れたディスク装置の提供。【解決手段】両側端部を断面略Ｌ字型となるように屈曲させて形成した天板プレート２３の、屈曲部分２３２を、フレーム２１の側壁２１１の上端面に形成した嵌合溝２１１ａと嵌合させる構成とすることにより、ディスク装置２の防塵性を向上させると共に、天板プレート２３にクランパー２５を備えさせことで、別途のクランパー支持部材を不要とし、部品点数の削減及び作業効率の向上を図る。【選択図】  図５
2007109363.tif 000002
【特許請求の範囲】
【請求項１】
ディスク媒体から信号の読込み若しくは書込み又は読書きを行うディスク装置であって、当該ディスク装置の筐体を構成するフレームの側壁の上端面に、連続した若しくは断続した嵌合溝を形成し、当該ディスク装置の上面部を覆う天板部材であって、両側端部の全部若しくは一部を、断面略Ｌ字型となるように屈曲させて形成した天板部材の、当該屈曲部分を、前記嵌合溝と嵌合させることにより、装置上面部を前記天板部材で覆ったことを特徴とするディスク装置。
【請求項２】
前記天板部材の、前記ディスク装置に備えられるディスク媒体を回転駆動するターンテーブルと対向する部分に、当該ターンテーブル側に膨出する段差凹部を形成し、当該段差凹部に、前記ターンテーブルとの間でディスク媒体を挟持するためのクランパーを支持するための支持孔を設け、当該支持孔に前記クランパーを備えさせたことを特徴とする請求項１記載のディスク装置。
【請求項３】
前記屈曲部分の一部に、当該屈曲部分の下端部から外方に延出する舌片部を形成し、当該舌片部にネジ止め用の挿通穴を形成し、当該挿通穴と対向する位置となるように前記フレームの側壁にボス部を形成することにより、前記天板部材を前記フレームにネジ止めすることを特徴とする請求項１又は請求項２に記載のディスク装置。
【請求項４】
前記天板部材の上面の平面から前記クランパーが突出しないように前記段差凹部を形成し、又は、前記天板部材の上面の平面から前記ネジの頭部が突出しないように前記舌片部及び前記ボス部を形成したことを特徴とする請求項２又は請求項３に記載のディスク装置。
【請求項５】
前記ディスク装置のディスク媒体が挿入／排出される側を装置の前面側とした場合に、前記天板部材の、前記ディスク媒体が当該ディスク装置内で再生位置にある場合に当該ディスク媒体と対向する部分より背面側となる位置に、前記ディスク媒体側に膨出する凸部を形成したことを特徴とする請求項１乃至請求項４の何れか１つに記載のディスク装置。
【請求項６】
前記天板部材を弾性部材によって形成し、且つ、前記フレームの一方の側壁上端面に形成される前記嵌合溝の内側壁面と、他方の側壁上端面に形成される前記嵌合溝の内側壁面と、の距離を第１の距離とした場合に、前記天板部材の一方の側端部に形成される前記屈曲部分の下端部と、他方の側端部に形成される前記屈曲部分の下端部と、の距離が前記第１の距離より短くなるように、且つ、前記天板部材の両側端部間の距離が前記第１の距離より長くなるように構成したことを特徴とする請求項１乃至請求項５の何れか１つに記載のディスク装置。
【請求項７】
ディスク媒体から信号の読込み若しくは書込み又は読書きを行うディスク装置であって、当該ディスク装置の筐体を構成するフレームと、当該ディスク装置の上面部の全体若しくは一部を覆う天板部材と、前記フレームに対して摺動可能に設けられた前記ディスク媒体を載置するためのディスクトレイと、を備え、前記ディスク媒体が挿入又は排出される側を装置の前面側とした場合に、前記天板部材の、前記ディスク媒体が当該ディスク装置内で再生位置にある場合に当該ディスク媒体と対向する部分より背面側となる位置に、前記ディスク媒体側に突出する凸部であって、前記ディスク媒体と当接した際にディスク媒体を前記ディスクトレイ側へと誘導する傾斜部を備えるディスク位置抑制凸部を形成し、前記ディスクトレイのディスク媒体載置面側であって、前記ディスク位置抑制凸部と対抗する位置より背面側となる位置に、ディスク媒体係止部を形成したことを特徴とするディスク装置。
【請求項８】
前記フレームに対して摺動可能に設けられた前記ディスク媒体を載置するためのディスクトレイを備え、前記ディスク媒体が挿入又は排出される側を装置の前面側とした場合に、前記天板部材の、前記ディスク媒体が当該ディスク装置内で再生位置にある場合に当該ディスク媒体と対向する部分より背面側となる位置に、前記ディスク媒体側に突出する凸部であって、前記ディスク媒体と当接した際にディスク媒体を前記ディスクトレイ側へと誘導する傾斜部を備えるディスク位置抑制凸部を形成し、前記ディスクトレイのディスク媒体載置面側であって、前記ディスク位置抑制凸部と対抗する位置より背面側となる位置に、ディスク媒体係止部を形成したことを特徴とする請求項１乃至請求項６に記載のディスク装置。
【請求項９】
前記ディスク位置抑制凸部の先端部の高さ位置と前記ディスク媒体係止部の先端部の高さ位置とが略同一、若しくは、前記ディスク位置抑制凸部の先端部の高さ位置が前記ディスク媒体係止部の先端部の高さ位置より前記ディスクトレイ側となるように形成したことを特徴とする請求項７又は請求項８に記載のディスク装置。
【請求項１０】
請求項１乃至請求項９の何れか１つに記載のディスク装置を備えることを特徴とするディスク媒体再生装置又はディスク媒体記録再生装置。
【発明の詳細な説明】
【技術分野】
【０００１】
本発明は、ディスク媒体から信号の読込み若しくは書込み又は読書きを行うディスク装置に関し、特に、防塵化及び薄型化が図られたディスク装置に関する。
【背景技術】
【０００２】
ＣＤやＤＶＤに代表されるディスク媒体は、その取り扱いの容易さ等の理由により広く利用されており、これらのディスク媒体に対する記録／再生を行うディスク装置を利用した各種の電子装置（例えば、ＤＶＤ内蔵テレビやパソコンなど）も広く普及している。また、これらの電子装置は年々小型化や薄型化が進んでいる。
【０００３】
このようなＤＶＤ等の光ディスク媒体に対する読書きを行うディスク装置では、例えば光ヘッド部分に埃が侵入すると、記録／再生動作に悪影響を与えるおそれがあるため、これを防止するための防塵対策が講じられている。このようなディスク装置の防塵対策に関する従来技術が特許文献１〜特許文献３などによって開示されている。また、ディスク装置の部品点数の削減や組立工程の簡素化に関する従来技術が特許文献４〜特許文献５などによって開示されている。また、特許文献６〜特許文献７等によって、ディスク媒体が装置内に取り残されることを防止する技術に関するものが開示されている。
【０００４】
【特許文献１】特開平７−２７２４７３号公報
【特許文献２】特開平９−３２６１９２号公報
【特許文献３】特開平１０−２１６７９号公報
【特許文献４】特開２００１−２２２８７７号公報
【特許文献５】特開２００３−３１７４６１号公報
【特許文献６】特開２００１−２２２８４７号公報
【特許文献７】特開２００２−３５２４４９号公報
【発明の開示】
【発明が解決しようとする課題】
【０００５】
上記特許文献によって開示される従来技術は、基本的に、ピックアップユニットやディスク駆動装置などが搭載されるフレームを、箱型のキャビネット内に収納するものであり、箱型キャビネットへのフレームの取り付け工程を要すると共に、フレームの他に箱型キャビネット（基本的に上側キャビネットと下側キャビネットの２点で構成される）が必要となるため、その分部品点数も増えるものであった。
【０００６】
本発明は、上述した点に鑑み、ディスク媒体から信号の読込み若しくは書込み又は読書きを行うディスク装置であって、防塵化及び薄型化が図られ、且つ、部品点数の削減及び作業工程の削減が図られると共に、ディスク媒体の搬出時にディスク媒体がディスク装置内に取り残されることを抑止させるディスク装置を提供することを目的とする。
【課題を解決するための手段】
【０００７】
請求項１のディスク装置は、ディスク媒体から信号の読込み若しくは書込み又は読書きを行うディスク装置であって、当該ディスク装置の筐体を構成するフレームの側壁の上端面に、連続した若しくは断続した嵌合溝を形成し、当該ディスク装置の上面部を覆う天板部材であって、両側端部の全部若しくは一部を、断面略Ｌ字型となるように屈曲させて形成した天板部材の、当該屈曲部分を、前記嵌合溝と嵌合させることにより、装置上面部を前記天板部材で覆ったことを特徴とする。
【０００８】
上記構成によれば、ディスク装置の筐体を構成するフレームと天板部材との接合部分が、溝部（嵌合溝）に凸部（屈曲部分）が嵌合する構成となり、フレームと天板部材とによって、ディスク装置が箱型に形成される。
【０００９】
請求項２のディスク装置は、請求項１記載のディスク装置であって、前記天板部材の、前記ディスク装置に備えられるディスク媒体を回転駆動するターンテーブルと対向する部分に、当該ターンテーブル側に膨出する段差凹部を形成し、当該段差凹部に、前記ターンテーブルとの間でディスク媒体を挟持するためのクランパーを支持するための支持孔を設け、当該支持孔に前記クランパーを備えさせたことを特徴とする。
【００１０】
上記構成によれば、天板部材によって、ディスク媒体を挟持するためのクランパーが保持される。
【００１１】
請求項３のディスク装置は、請求項１又は請求項２に記載のディスク装置であって、前記屈曲部分の一部に、当該屈曲部分の下端部から外方に延出する舌片部を形成し、当該舌片部にネジ止め用の挿通穴を形成し、当該挿通穴と対向する位置となるように前記フレームの側壁にボス部を形成することにより、前記天板部材を前記フレームにネジ止めすることを特徴とする。
【００１２】
上記構成によれば、フレームに天板部材がネジ止めによって取り付けられる。
【００１３】
請求項４のディスク装置は、請求項２又は請求項３に記載のディスク装置であって、前記天板部材の上面の平面から前記クランパーが突出しないように前記段差凹部を形成し、又は、前記天板部材の上面の平面から前記ネジの頭部が突出しないように前記舌片部及び前記ボス部を形成したことを特徴とする。
【００１４】
上記構成によれば、クランパー、又は、フレームに天板部材をネジ止めするためのネジが、天板部材の上面の平面より突出しない。
【００１５】
請求項５のディスク装置は、請求項１乃至請求項４の何れか１つに記載のディスク装置であって、前記ディスク装置のディスク媒体が挿入／排出される側を装置の前面側とした場合に、前記天板部材の、前記ディスク媒体が当該ディスク装置内で再生位置にある場合に当該ディスク媒体と対向する部分より背面側となる位置に、前記ディスク媒体側に膨出する凸部を形成したことを特徴とする。
【００１６】
上記構成によれば、天板部材の内面側（ディスク媒体がある側）の、再生位置におけるディスク媒体と対向する部分より背面側（ディスク挿入側からみて奥の方）となる部分に凸部が形成される。
【００１７】
請求項６のディスク装置は、請求項１乃至請求項５の何れか１つに記載のディスク装置であって、前記天板部材を弾性部材によって形成し、且つ、前記フレームの一方の側壁上端面に形成される前記嵌合溝の内側壁面と、他方の側壁上端面に形成される前記嵌合溝の内側壁面と、の距離を第１の距離とした場合に、前記天板部材の一方の側端部に形成される前記屈曲部分の下端部と、他方の側端部に形成される前記屈曲部分の下端部と、の距離が前記第１の距離より短くなるように、且つ、前記天板部材の両側端部間の距離が前記第１の距離より長くなるように構成したことを特徴とする。
【００１８】
上記構成によれば、天板部材の両側端部に形成された屈曲部分の両下端部の間の距離は、フレームの両側壁上に形成された両嵌合溝の間の距離（第１の距離）より短く、且つ、天板部材の両側端部の間の距離は、フレームの両側壁上に形成された両嵌合溝の間の距離（第１の距離）より長く形成される。
【００１９】
請求項７のディスク装置は、ディスク媒体から信号の読込み若しくは書込み又は読書きを行うディスク装置であって、当該ディスク装置の筐体を構成するフレームと、当該ディスク装置の上面部の全体若しくは一部を覆う天板部材と、前記フレームに対して摺動可能に設けられた前記ディスク媒体を載置するためのディスクトレイと、を備え、前記ディスク媒体が挿入又は排出される側を装置の前面側とした場合に、前記天板部材の、前記ディスク媒体が当該ディスク装置内で再生位置にある場合に当該ディスク媒体と対向する部分より背面側となる位置に、前記ディスク媒体側に突出する凸部であって、前記ディスク媒体と当接した際にディスク媒体を前記ディスクトレイ側へと誘導する傾斜部を備えるディスク位置抑制凸部を形成し、前記ディスクトレイのディスク媒体載置面側であって、前記ディスク位置抑制凸部と対抗する位置より背面側となる位置に、ディスク媒体係止部を形成したことを特徴とする。
【００２０】
上記構成によれば、天板部材の内面側（ディスク媒体がある側）の、再生位置におけるディスク媒体と対向する部分より背面側（ディスク挿入側からみて奥の方）となる部分に、ディスク媒体と当接した際にディスク媒体をディスクトレイ側へと誘導する傾斜部を備えるディスク位置抑制凸部が形成され、且つ、当該ディスク位置抑制凸部と対抗する位置より背面側となる位置に、ディスク媒体係止部がディスクトレイ上に形成される。
【００２１】
請求項８のディスク装置は、請求項１乃至請求項６に記載のディスク装置であって、前記フレームに対して摺動可能に設けられた前記ディスク媒体を載置するためのディスクトレイを備え、前記ディスク媒体が挿入又は排出される側を装置の前面側とした場合に、前記天板部材の、前記ディスク媒体が当該ディスク装置内で再生位置にある場合に当該ディスク媒体と対向する部分より背面側となる位置に、前記ディスク媒体側に突出する凸部であって、前記ディスク媒体と当接した際にディスク媒体を前記ディスクトレイ側へと誘導する傾斜部を備えるディスク位置抑制凸部を形成し、前記ディスクトレイのディスク媒体載置面側であって、前記ディスク位置抑制凸部と対抗する位置より背面側となる位置に、ディスク媒体係止部を形成したことを特徴とする。
【００２２】
請求項９のディスク装置は、請求項７又は請求項８に記載のディスク装置であって、前記ディスク位置抑制凸部の先端部の高さ位置と前記ディスク媒体係止部の先端部の高さ位置とが略同一、若しくは、前記ディスク位置抑制凸部の先端部の高さ位置が前記ディスク媒体係止部の先端部の高さ位置より前記ディスクトレイ側となるように形成したことを特徴とする。
【００２３】
上記構成によれば、ディスク位置抑制凸部の先端部の高さ位置がディスク媒体係止部の先端部の高さ位置よりディスクトレイ側若しくは略同一となる。なお、「ディスク位置抑制凸部の先端部の高さ位置がディスク媒体係止部の先端部の高さ位置よりディスクトレイ側」とは、言い方を替えれば「ディスク媒体係止部の先端部の高さ位置がディスク位置抑制凸部の先端部の高さ位置より天板部材側」ということである。
【００２４】
請求項１０のディスク媒体再生装置又はディスク媒体記録再生装置は、請求項１乃至請求項９の何れか１つに記載のディスク装置を備えることを特徴とする。
【発明の効果】
【００２５】
本発明の請求項１の、ディスク媒体から信号の読込み若しくは書込み又は読書きを行うディスク装置であって、当該ディスク装置の筐体を構成するフレームの側壁の上端面に、連続した若しくは断続した嵌合溝を形成し、当該ディスク装置の上面部を覆う天板部材であって、両側端部の全部若しくは一部を、断面略Ｌ字型となるように屈曲させて形成した天板部材の、当該屈曲部分を、前記嵌合溝と嵌合させることにより、装置上面部を前記天板部材で覆ったことを特徴とするディスク装置によれば、ディスク装置の筐体を構成するフレームと天板部材との接合部分が、溝部（嵌合溝）に凸部（屈曲部分）が嵌合する構成となるため、当該接合部分の防塵性に優れると共に、フレームと天板部材とによって、ディスク装置が箱型に形成されるため、フレームの他に別途箱型のキャビネットを設ける必要が無く、部品点数を削減でき且つ作業工程も簡略化することが可能となる。また、フレームと天板部材とによってディスク装置が箱型に形成されることにより、ディスク装置の強度の向上が図られる。
【００２６】
本発明の請求項２の、前記天板部材の、前記ディスク装置に備えられるディスク媒体を回転駆動するターンテーブルと対向する部分に、当該ターンテーブル側に膨出する段差凹部を形成し、当該段差凹部に、前記ターンテーブルとの間でディスク媒体を挟持するためのクランパーを支持するための支持孔を設け、当該支持孔に前記クランパーを備えさせたことを特徴とする請求項１記載のディスク装置によれば、天板部材によって、ディスク媒体を挟持するためのクランパーが保持されるため、別途クランパーを保持するための部材を設ける必要が無く、部品点数を削減でき且つ作業工程も簡略化することが可能となる。
【００２７】
本発明の請求項４の、前記天板部材の上面の平面から前記クランパーが突出しないように前記段差凹部を形成し、又は、前記天板部材の上面の平面から前記ネジの頭部が突出しないように前記舌片部及び前記ボス部を形成したことを特徴とする請求項２又は請求項３に記載のディスク装置によれば、クランパー若しくはフレームに天板部材をネジ止めするためのネジが、天板部材の上面の平面より突出しないため、ディスク装置の薄型化が図られる。
【００２８】
本発明の請求項５の、前記ディスク装置のディスク媒体が挿入／排出される側を装置の前面側とした場合に、前記天板部材の、前記ディスク媒体が当該ディスク装置内で再生位置にある場合に当該ディスク媒体と対向する部分より背面側となる位置に、前記ディスク媒体側に膨出する凸部を形成したことを特徴とする請求項１乃至請求項４の何れか１つに記載のディスク装置によれば、前記天板部材の内面側の、ディスク媒体と対向する部分より背面側（ディスク挿入側からみて奥の方）となる部分に凸部が形成されるため、ディスク媒体がディスク装置の奥に侵入してしまう（例えば、ディスク回転中にクランプ機構に不具合が生じディスクが外れてしまった場合や、ディスクがクランプされていない状態などにおいて、ディスクが装置の奥に侵入してしまう）ことが凸部によって防止される。
【００２９】
本発明の請求項６の、前記天板部材を弾性部材によって形成し、且つ、前記フレームの一方の側壁上端面に形成される前記嵌合溝の内側壁面と、他方の側壁上端面に形成される前記嵌合溝の内側壁面と、の距離を第１の距離とした場合に、前記天板部材の一方の側端部に形成される前記屈曲部分の下端部と、他方の側端部に形成される前記屈曲部分の下端部と、の距離が前記第１の距離より短くなるように、且つ、前記天板部材の両側端部間の距離が前記第１の距離より長くなるように構成したことを特徴とする請求項１乃至請求項５の何れか１つに記載のディスク装置によれば、天板部材の両側端部に形成された屈曲部分の両下端部の間の距離は、フレームの両側壁上に形成された両嵌合溝の間の距離（第１の距離）より短く、天板部材の両側端部の間の距離は、フレームの両側壁上に形成された両嵌合溝の間の距離（第１の距離）より長く形成され、且つ、弾性部材によって天板部材が形成される。従って、天板部材の屈曲部分をフレームの嵌合溝と嵌合させた際に、一定の嵌合強度を得ることができる（嵌合強度があるということは、密着力があるということであり、より防塵効果を得ることができる）。
【００３０】
本発明の請求項７の、ディスク媒体から信号の読込み若しくは書込み又は読書きを行うディスク装置であって、当該ディスク装置の筐体を構成するフレームと、当該ディスク装置の上面部の全体若しくは一部を覆う天板部材と、前記フレームに対して摺動可能に設けられた前記ディスク媒体を載置するためのディスクトレイと、を備え、前記ディスク媒体が挿入又は排出される側を装置の前面側とした場合に、前記天板部材の、前記ディスク媒体が当該ディスク装置内で再生位置にある場合に当該ディスク媒体と対向する部分より背面側となる位置に、前記ディスク媒体側に突出する凸部であって、前記ディスク媒体と当接した際にディスク媒体を前記ディスクトレイ側へと誘導する傾斜部を備えるディスク位置抑制凸部を形成し、前記ディスクトレイのディスク媒体載置面側であって、前記ディスク位置抑制凸部と対抗する位置より背面側となる位置に、ディスク媒体係止部を形成したことを特徴とするディスク装置によれば、天板部材の内面側の、再生位置におけるディスク媒体と対向する部分より背面側（ディスク挿入側からみて奥の方）となる部分に、ディスク媒体と当接した際にディスク媒体をディスクトレイ側へと誘導する傾斜部を備えるディスク位置抑制凸部が形成されるため、ディスクトレイの排出時にディスク媒体がディスク位置抑制凸部に当接すると、ディスク媒体がディスク位置抑制凸部の傾斜部によってディスクトレイ側へと誘導される。これにより、確実にディスク媒体がディスクトレイ上に形成されたディスク媒体係止部に当接し、ディスクトレイと共に（ディスクトレイの摺動動作と共に）装置の外に排出される。
【００３１】
本発明の請求項９の、前記ディスク位置抑制凸部の先端部の高さ位置と前記ディスク媒体係止部の先端部の高さ位置とが略同一、若しくは、前記ディスク位置抑制凸部の先端部の高さ位置が前記ディスク媒体係止部の先端部の高さ位置より前記ディスクトレイ側となるように形成したことを特徴とする請求項７又は請求項８に記載のディスク装置によれば、ディスク位置抑制凸部の先端部の高さ位置がディスク媒体係止部の先端部の高さ位置よりディスクトレイ側若しくは略同一となるため、ディスクトレイの排出時に、より確実に、ディスク媒体がディスクトレイ上に形成されたディスク媒体係止部に当接し、ディスクトレイと共に装置の外に排出される。
【発明を実施するための最良の形態】
【００３２】
以下、本発明の具体的実施例について、図面を参照しながら説明する。なお、以下の実施態様は、本発明を具体化する際の一形態であって、本発明をその範囲内に限定するためのものではない。
【実施例１】
【００３３】
図１は本発明に係るＤＶＤプレーヤの天板を外した状態の概略を示す斜視図であり、図２及び図３は同ＤＶＤプレーヤに備えられるディスク装置の概略を示す斜視図（図２はディスクトレイが搬出された状態、図３は搬入された状態をそれぞれ示す）である。
【００３４】
図１に示されるように、ディスク媒体（ＤＶＤ）の再生装置であるＤＶＤプレーヤ１は、映像信号や音声信号の処理を行う映像・音声信号処理部や装置全体の制御を行う制御部などを備えるメイン基板１１と、当該メイン基板１１とは別個に形成される電源基板１２と、ディスク媒体（ＤＶＤ）３からの信号の読込みを行うＤＶＤ再生ユニット（ディスク装置）２などを筐体１４（天板１４ａ・シャーシ１４ｂ・フロントパネル１４ｃ）内に備える。
【００３５】
図４は、ＤＶＤ再生ユニット２の平面図（図４（ａ））、側面図（図４（ｂ））、正面図（図４（ｃ））をそれぞれ示す図であり、図５は、ＤＶＤ再生ユニット２の、天板プレート（天板部材）２３を外した状態の概略を示す分解斜視図である。ＤＶＤ再生ユニット２には、全体が概ね樹脂製のフレーム２１と、フレーム２１に対して摺動可能に設けられたディスクトレイ２２と、ＤＶＤ再生ユニット２の上面部を全面的に覆う天板プレート（天板部材）２３とを備える。また、ＤＶＤ再生ユニット２には、フレーム２１内に取り付けられるピックアップユニット２７や、当該ピックアップユニット２７をディスク媒体の半径方向に移動させるピックアップユニット移動機構２８、ターンテーブル２４、ターンテーブル２４を回転させるスピンドルモータ（図示せず）、ターンテーブル２４との間でディスク媒体を挟持するためのクランパー２５等が備えられる。
【００３６】
フレーム２１の側壁２１１の上端面には、嵌合溝２１１ａが形成され、且つ、天板プレート２３の舌片部２３３に形成されるネジ止め用の挿通穴２３３ａ（後述）と対向する位置となるようにボス部２１２が形成される。
【００３７】
図６及び図７は、天板プレート２３の概略を示す図であり、図６は（ａ）：クランパー２５を取り外した状態の分解斜視図、（ｂ）：クランパー２５が取り付けられていない状態の底面方向から見た斜視図である。図７は（ａ）：平面図、（ｂ）：側面図、（ｃ）：正面図である。図に示されるように、天板プレート２３は、両側端部２３１が断面略Ｌ字型となるように屈曲して形成された屈曲部分２３２を備え、当該屈曲部分２３２の下端部の一部から外方に延出する舌片部２３３が形成され、当該舌片部２３３にはネジ止め用の挿通穴２３３ａが形成される。さらに、天板プレート２３には、ターンテーブル２４と対向する部分（天板プレート２３がＤＶＤ再生ユニット２に取り付けられた状態で、ターンテーブル２４と対向する部分）に、当該ターンテーブル２４側に膨出する段差凹部２３４が形成され、当該段差凹部２３４に、前記ターンテーブル２４との間でディスク媒体を挟持するためのクランパー２５を支持するための支持孔２３５が設けられ、当該支持孔２３５にクランパー２５が取り付けられる。なお、ターンテーブル２４の表面には磁性体が取付けられており、クランパー２５に備えられる磁石２５２との間でディスク媒体を挟持するものである。
【００３８】
さらに、天板プレート２３には、ＤＶＤ再生ユニット２のディスク媒体３が挿入／排出される側を装置の前面側とした場合に、ディスク媒体３が当該ＤＶＤ再生ユニット２内で再生位置にある場合に当該ディスク媒体３と対向する部分（図７（ａ）に、再生位置にある場合のディスク媒体３を一点鎖線で示した。）より背面側となる位置に、ディスク媒体３側に膨出する凸部２３６が形成される。なお、本実施例の天板プレート２３は、前面側及び背面側にも屈曲部分２３７が形成される。
【００３９】
上記構成の天板プレート２３は、図５に示されるように、屈曲部分２３２が、フレーム２１の側壁２１１の上端面に形成された嵌合溝２１１ａと嵌合され、挿通穴２３３ａを介してネジ２６がボス部２１２に取り付けられることによって、フレーム２１に取り付けられ、これによってＤＶＤ再生ユニット２の装置上面部が天板プレート２３によって覆われる。なお、挿通穴２３３ａの隣に形成される挿通穴２３３ｂは、ボス部２１２の隣に形成される凸部２１３と嵌合するものであり、これら挿通穴２３３ｂと凸部２１３によってフレーム２１に対する天板プレート２３の位置決めがなされる。なお、舌片部及びボス部を、装置背面側に形成するようにしてもよい。
【００４０】
図８は図３のＡ−Ａ線に沿った断面図であり、図９は同Ｂ−Ｂ線に沿った断面図である。図８に示されるように、嵌合溝２１１ａと屈曲部分２３２とが嵌合するため、当該部分の防塵性に優れる（入り組んだ構造となるため埃が装置内に侵入し難い）と共に、フレーム２１と天板プレート２３とによって、ＤＶＤ再生ユニット２が箱型に構成されるため、フレーム２１の他に別途箱型のキャビネット等を設ける必要が無く、部品点数を削減でき且つ作業工程も簡略化することが可能となる。また、フレーム２１と天板プレート２３とによってＤＶＤ再生ユニット２が箱型に形成されることにより、ＤＶＤ再生ユニット２の強度の向上が図られる。加えて、図５に示されるように、天板プレート２３が取り外された状態では、ＤＶＤ再生ユニット２の上面部分が開放された状態となるため、組み立てや保守作業の作業性に優れる。
【００４１】
また、図８に示されるように、本実施例のＤＶＤ再生ユニット２は、天板プレート２３の上面の平面からクランパー２５が突出しないように段差凹部２３４が形成され、且つ、天板プレート２３の上面の平面からネジ２６の頭部が突出しないように舌片部２３３及びボス部２１２が形成されるため、ディスク装置の薄型化が図られる。加えて、図９に示されるように、天板プレート２３の内面側の、ディスク媒体３と対向する部分より背面側（ディスク挿入側からみて奥の方）となる部分に凸部２３６が形成されるため、ディスク媒体３がディスク装置の奥に侵入してしまうことが凸部２３６によって抑止される。
【００４２】
なお、本実施例では、図９に示されるように、天板プレート２３の背面側に形成される屈曲部分２３７は、フレーム２１の側壁（背面側の側壁）２１１の外側に接するような構成としているが、フレーム２１の背面側の側壁の上面部にも嵌合溝を形成し、屈曲部分２３７と嵌合させる構成としても良い。また、本実施例のような“トレイタイプ”のＤＶＤ再生ユニットではなく、“スロットインタイプ”のＤＶＤ再生ユニットである場合には、図１０に示したように、前面側においても嵌合溝に屈曲部分を嵌合させることで、４辺とも嵌合溝に屈曲部分を嵌合させる構成としてもよい。
【００４３】
さらに、図１１に示したように、蓋部材２３８によって段差凹部２３４を塞ぐような構成としても良い。これにより、クランパー２５を保持するための支持孔２３５から埃が侵入することを防止することができる。当該蓋部材２３８は、接着部材等により天板プレート２３に接着するようにしてもよいし、段差凹部２３４及び蓋部材２３８に係止部材を形成して（図１１では、蓋部材２３８にフック状の係止部材を形成し、段差凹部２３４に嵌合穴を形成したものを例とした）取付け可能なようにする等してもよい。
【００４４】
図１２には、屈曲部分の屈曲角度をやや大きくした天板プレート２３の概念説明図を示した。同図に示されるように、当該天板プレート２３は、フレーム２１の、嵌合溝２１１ａの両内側壁面２１１ａ１間（フレーム２１の一方の側壁上端面に形成される嵌合溝２１１ａの内側壁面２１１ａ１と、他方の側壁上端面に形成される嵌合溝２１１ａの内側壁面２１１ａ１と、の間）の距離Ｌ（第１の距離）より、天板プレート２３の屈曲部分２３２の両下端部の間（天板プレート２３の一方の側端部に形成される屈曲部分２３２の下端部と、他方の側端部に形成される屈曲部分２３２の下端部と、の間）の距離Ｘが小さく、且つ、距離Ｌ（第１の距離）より、天板プレート２３の両側端部間の距離Ｙが大きくなるように構成され、且つ、一定の弾性力を有する部材によって形成される。これにより、天板プレート２３の屈曲部分２３２をフレーム２１の嵌合溝２１１ａと嵌合させた際に、一定の嵌合強度を得ることができ、より防塵効果を得ることができる（図１２（ｃ）に示されるように、内側壁面２１１ａ１と屈曲部分２３２の下端部との密着力が強いため）。なお、距離Ｌより距離Ｘの方が小さいため、そのままでは嵌合溝２１１ａに屈曲部分２３２を嵌め込む（天板プレート２３をフレーム２１に取り付ける）ことができないが、図１２（ｂ）にその概念を示したように、天板プレート２３を上部から押し込むように力を加えることにより、天板プレート２３が撓み、これにより屈曲部分２３２の下端部が開くように（距離Ｘが大きくなるように）なるため、天板プレート２３をフレーム２１に取り付ける作業の作業性については良好であるといえる。
【００４５】
なお、本実施例では、天板プレート２３にクランパー２５を設け、別途クランパー２５を支持するための部材を設ける必要が無いようにすることで、部品点数の削減と作業効率の向上がより図られているが、別途クランパー２５を支持するための部材を設けて、天板プレート２３には段差凹部２３４（支持孔２３５）を設けないような構成としてもよい。天板プレート２３にクランパー２５を設ける構成とした場合には、フレーム２１に対する天板プレート２３の固定を確実なものとする必要があり、ネジなどによる固定（本実施例ではネジ２６による固定としたがその他の固定手段であってもよい）が不可欠であるが、天板プレート２３にクランパー２５が無い場合には、ネジ止めのための舌片部２３３やボス部２１２を形成せずに、図１２で説明したような方式によって得られる嵌合強度のみによって、天板プレート２３をフレーム２１に取り付けるようにすることも可能である。
【実施例２】
【００４６】
図１３は本実施例のＤＶＤ再生ユニット１３０の天板プレート（天板部材）を外した状態の概略を示す分解斜視図である。図１４及び図１５は、同ＤＶＤ再生ユニットの天板プレートの概略を示す図であり、図１４は、（ａ）：クランパーを取り外した状態の分解斜視図、（ｂ）：クランパーが取り付けられていない状態の底面方向から見た斜視図、（ｃ）：ディスク位置抑制凸部１３１１部分の断面図である。図１６は、ＤＶＤ再生ユニット１３０の概略断面図である。なお、本実施例のＤＶＤ再生ユニット１３０の構成は、天板プレートに形成されたディスク位置抑制凸部１３１１を除いて基本的に同一であるため、実施例１と同様の構成要素については同一の符号を使用し、ここでの説明を省略する。
【００４７】
本実施例のＤＶＤ再生ユニット１３０に備えられる天板プレート１３１には、ＤＶＤ再生ユニット１３０のディスク媒体３が挿入／排出される側を装置の前面側とした場合に、ディスク媒体３が当該ＤＶＤ再生ユニット１３０内で再生位置にある場合に当該ディスク媒体３と対向する部分（図１５（ａ）に、再生位置にある場合のディスク媒体３を一点鎖線で示した。）より背面側となる位置に、ディスク媒体３側に膨出するディスク位置抑制凸部１３１１が形成される。図１４に示されるように、ディスク位置抑制凸部１３１１は、テーパー状に形成されることにより、傾斜部１３１２を有する。
【００４８】
また、図１３に示されるようにディスクトレイ２２上には、ディスク媒体載置面側であって、ディスク位置抑制凸部１３１１と対抗する位置より背面側となる位置に、ディスク媒体係止部１３２が形成されている（図１５（ａ）に、ディスクトレイ２２が収納状態である場合のディスク位置抑制凸部１３１１とディスク媒体係止部１３２との位置関係を示した）。図１５（ａ）に示されるように、ディスク位置抑制凸部１３１１とディスク媒体係止部１３２とは、ディスクトレイ２２の摺動方向（同図中の上下方向）に重ならないように配置される（以下で説明するように、ディスク位置抑制凸部１３１１とディスク媒体係止部１３２は高さ方向で重なる部分があるため、摺動方向に重なると互いに接触してしまうからである）。
【００４９】
図１７はディスクトレイ２２排出時（ディスク媒体３取出し時）の動作例を説明するための概略図であり、図（ａ）はディスクトレイが収納状態である場合のディスクトレイ２２とディスク媒体３と天板プレート１３１の位置関係の一例を示す図、図（ｂ）〜（ｄ）はディスクトレイ排出動作時におけるディスク位置抑制凸部１３１１付近の拡大説明図、図（ｅ）はディスクトレイ排出された状態を示す図である。同図に示されるように、装置が奥行方向に向かって傾いたような状態（図中の線ｘは水平線を示す）においてディスク媒体３を取り出そうとした場合、本実施例のＤＶＤ再生ユニット１３０によれば、図１７（ｂ）に示されるようにディスク媒体３がディスク位置抑制凸部１３１１の傾斜部１３１２に当接し、その傾斜に沿うようにしてディスクトレイ２２の方へと誘導され、ディスクトレイ２２の排出動作と共に移動するディスク媒体係止部１３２と確実に当接し、これによってディスク媒体３が装置内に取り残されること無くディスクトレイ２２と共に装置外へと排出されるのである。この効果は、図１７（ｂ）に示されるように、ディスク位置抑制凸部１３１１の先端部の高さ位置（同図中のｂの位置）がディスク媒体係止部１３２の先端部の高さ位置（同図中のａの位置）よりディスクトレイ２２側にあることにより、より確実に得られる。これに対し、図２１に示したように、天板部材２０２に形成される凸部２０５を垂直に形成したものの場合、ディスク媒体３をディスクトレイ２０１の方へと誘導する力が働かない（むしろディスク媒体３を天板部材２０２側に保持する力が働く場合がある）ため、ディスクトレイ２０１の排出動作と共に移動するディスク媒体係止部２０３がディスク媒体３と当接せず（ディスク媒体を取り出せるように引っ掛からない）、ディスク媒体３が装置の中に取り残されてしまう場合が生じ得る（ディスク媒体係止部２０３の高さを高くすれば、このような事態を防止し得るが、ディスク媒体係止部２０３は装置内部を移動する部材であるため、他の部材との接触を生じないようにする必要があり、おのずと限界がある）。これらの説明からも明らかなように、傾斜部１３１２の角度（図１４（ｃ）のα）は浅い方が好適であると言え、４５度以下であることが望ましい。
【００５０】
ディスク媒体再生装置は、ＤＶＤプレーヤなどのいわゆる家電の分野のみならずＰＣや自動車などの非常に多様な分野で使用されているためその使用状況もさまざまである。従って、上記説明したような装置が傾いた状態となることも多分に起こり得ると言え、本発明は非常に有用である。なお、上記説明した状況において、ディスク媒体係止部１３２によるディスク媒体３の引き出しをより確実なものとするために、図１８に示したように、ディスク媒体係止部１３２のディスク媒体３と当接する面にも傾斜部１８１を形成（図１８（ａ））したり、突起部１８２を形成する（図１８（ｂ））などしてもよい。
【００５１】
なお、本実施例では、天板プレート１３１がＤＶＤ再生ユニットの上面部を全面的に覆うものを用いて説明したが、図１９に示したように上面部の一部を覆うような天板プレートであっても構わない。図２０は同天板プレートを示した図である。同図に示されるように、天板プレート１９０は、その端部の一部を切り欠いて舌片部を形成してこれを折り曲げることにより傾斜したディスク位置抑制凸部１９１を形成している。
【００５２】
また、本実施例では円錐状のディスク位置抑制凸部を用いてこれが２つ形成されているものを例として説明したが、本発明をこれに限るものではなく、ディスク位置抑制凸部は１つであっても構わないし、３つ以上形成されるものであってもよい。ディスク位置抑制凸部の形状についても円錐状のものに限られず、上記説明した本発明の概念に沿って種々の形状を採用することが可能である（ディスク位置抑制凸部を天板部材とは別部材で形成して取り付けるようにする等してもよい）。
【００５３】
実施例中では、ディスク装置の一例としてＤＶＤ再生ユニットを用いて説明したが、本発明をこれに限るものではなく、記録可能なＤＶＤ記録／再生ユニットにも適用できるのは勿論のこと、その他のディスク媒体に対する再生処理などを行うディスク装置（例えば、ＣＤ記録／再生ユニット、ＬＤ記録／再生ユニットなど）に対して適用でき、これらの各ディスク装置を内蔵したディスク媒体再生装置又はディスク媒体記録再生装置（例えばＤＶＤ内蔵ＬＣＤやディスク装置を有するパソコン等の複合装置を含む）に有効に適用することができる。
【図面の簡単な説明】
【００５４】
【図１】ＤＶＤプレーヤの天板を外した状態の概略を示す斜視図
【図２】ディスクトレイが搬出された状態のディスク装置の概略を示す斜視図
【図３】ディスクトレイが搬入された状態のディスク装置の概略を示す斜視図
【図４】ディスク装置の概略を示す図であり、（ａ）：平面図、（ｂ）：即面図、（ｃ）：正面図
【図５】ディスク装置の、天板プレートを外した状態の概略を示す斜視図
【図６】天板プレートの概略を示す図であり、（ａ）：クランパーを取り外した状態の分解斜視図、（ｂ）：クランパーが取り付けられていない状態の底面方向から見た斜視図
【図７】天板プレートの概略を示す図であり、（ａ）：平面図、（ｂ）：側面図、（ｃ）：正面図
【図８】図３のＡ−Ａ線に沿った断面図
【図９】図３のＢ−Ｂ線に沿った断面図
【図１０】別のディスク装置の、天板プレートを外した状態の概略を示す斜視図
【図１１】天板プレートの段差凹部を塞ぐ蓋部材を示す斜視図
【図１２】屈曲部分の屈曲角度をやや大きくした天板プレートの概略を説明する図
【図１３】実施例２のディスク装置の、天板プレートを外した状態の概略を示す斜視図
【図１４】実施例２の天板プレートの概略を示す図であり、（ａ）：クランパーを取り外した状態の分解斜視図、（ｂ）：クランパーが取り付けられていない状態の底面方向から見た斜視図、（ｃ）：ディスク位置抑制凸部１３１１部分の断面図
【図１５】実施例２の天板プレートの概略を示す図であり、（ａ）：平面図、（ｂ）：側面図、（ｃ）：正面図
【図１６】実施例２のディスク装置の概略断面図
【図１７】実施例２のディスク装置のディスクトレイ排出時（ディスク媒体取出し時）の動作を説明するための概略説明図
【図１８】別のディスク媒体係止部を示した図
【図１９】別のディスク装置のディスクトレイが搬入された状態のディスク装置の概略を示す斜視図
【図２０】別の天板プレートの概略を示す図であり、（ａ）：平面図、（ｂ）：側面図
【図２１】他のディスク装置のディスクトレイ排出時（ディスク媒体取出し時）の動作を説明するための概略説明図
【符号の説明】
【００５５】
１      ＤＶＤプレーヤ（ディスク媒体再生装置）
２      ＤＶＤ再生ユニット（ディスク装置）
３      ディスク媒体
２１    フレーム
２２    ディスクトレイ
２３    天板プレート（天板部材）
２４    ターンテーブル
２５    クランパー
２１１ａ  嵌合溝
２１２  ボス部
２３２  屈曲部分
２３３  舌片部
２３３ａ  挿通穴
２３４  段差凹部
２３５  支持孔
２３６  凸部
２１１ａ１  嵌合溝の内側壁面
Ｌ      第１の距離
１３２  ディスク媒体係止部
１３１１  ディスク位置抑制凸部
１３１２  傾斜部
【図１】
2007109363.tif 000003
【図２】
2007109363.tif 000004
【図３】
2007109363.tif 000005
【図４】
2007109363.tif 000006
【図５】
2007109363.tif 000007
【図６】
2007109363.tif 000008
【図７】
2007109363.tif 000009
【図８】
2007109363.tif 000010
【図９】
2007109363.tif 000011
【図１０】
2007109363.tif 000012
【図１１】
2007109363.tif 000013
【図１２】
2007109363.tif 000014
【図１３】
2007109363.tif 000015
【図１４】
2007109363.tif 000016
【図１５】
2007109363.tif 000017
【図１６】
2007109363.tif 000018
【図１７】
2007109363.tif 000019
【図１８】
2007109363.tif 000020
【図１９】
2007109363.tif 000021
【図２０】
2007109363.tif 000022
【図２１】
2007109363.tif 000023